(57)【要約】【課題】  ディスプレイ部の回動時に便利性及び安定性を向上させることができる。【解決手段】  コンピュータ本体と，前記コンピュータ本体に連結されたディスプレイ部と，を備えた携帯用コンピュータにおいて，前記ディスプレイ部と前記コンピュータ本体とを連結する一対のリンク部材と；前記各リンク部材の一端部と前記ディスプレイ部との間に設けられて，前記ディスプレイ部が前記一対のリンク部材に対して回動自在に支持するディスプレイヒンジ部と；前記各リンク部材の他端部と前記コンピュータ本体との間に設けられて，前記一対のリンク部材が前記コンピュータ本体に対して回動自在に支持する本体ヒンジ部と；前記リンク部材に対して前記ディスプレイ部の回動をロッキング及びロッキング解除するように前記リンク部材及び前記ディスプレイ部の間に設けられたロッキングユニットと；を含むことを特徴とする。【選択図】    図３
2005174348.tif 000002
【特許請求の範囲】
【請求項１】
コンピュータ本体と，前記コンピュータ本体に連結されたディスプレイ部とを備えた携帯用コンピュータにおいて：
前記ディスプレイ部と前記コンピュータ本体とを連結する一対のリンク部材と；
前記各リンク部材の一端部と前記ディスプレイ部との間に設けられて，前記ディスプレイ部が前記一対のリンク部材に対して回動自在に支持するディスプレイヒンジ部と；
前記各リンク部材の他端部と前記コンピュータ本体との間に設けられて，前記一対のリンク部材が前記コンピュータ本体に対して回動自在に支持する本体ヒンジ部と；
前記リンク部材に対して前記ディスプレイ部の回動を固定及び／又は固定解除するように前記リンク部材又は前記ディスプレイ部のうち少なくとも一方に設けられたロッキングユニットと；
を備えることを特徴とする，携帯用コンピュータ。
【請求項２】
前記一対のリンク部材は，前記ディスプレイ部を間に置いて相互に平行に配置することを特徴とする，請求項１に記載の携帯用コンピュータ。
【請求項３】
前記ロッキングユニットは，
前記リンク部材又は前記ディスプレイ部のうちいずれか一方に備わる突出形状のロッキング突起と；
前記リンク部材又は前記ディスプレイ部のうちいずれか一方に設けられて前記ロッキング突起と接触して弾性的に結合及び／又は結合解除可能な突起結合部と；
を備えることを特徴とする，請求項１又は２に記載の携帯用コンピュータ。
【請求項４】
前記ロッキング突起は，前記一対のリンク部材うち少なくともいずれか一方に設けられ，前記突起結合部は前記ロッキング突起に対応するように前記ディスプレイ部に設けられることを特徴とする，請求項３に記載の携帯用コンピュータ。
【請求項５】
前記突起結合部は，
前記ディスプレイ部が前記リンク部材に対して回動して前記ロッキング突起を受容するように前記ディスプレイ部の側面部に形成された突起受容部と；
前記ロッキング突起と接触して前記突起受容部に弾性的に引出されるように設けられた結合突起と；
を備えることを特徴とする，請求項３又は４に記載の携帯用コンピュータ。
【請求項６】
前記突起受容部は，
前記ロッキング突起を受容するように前記ディスプレイ部の後方に形成される開口部と；
前記開口部の対向側に，前記結合突起を通過した前記ロッキング突起と接触自在に設けられて接触騒音を防止する弾性部材と；
を備えることを特徴とする，請求項３，４，または５項のうちいずれか１項に記載の携帯用コンピュータ。
【請求項７】
前記ロッキング突起は，前記本体ヒンジ部と結合する前記リンク部材の他端部との近接領域に設けられ，
前記突起受容部は，前記ロッキング突起に対応して選択的に前記ロッキング突起を受容するように前記ディスプレイ部の回動軸線と垂直方向に離隔し，一対で設けられることを特徴とする，請求項３，４，５，または６項のうちいずれか１項に記載の携帯用コンピュータ。
【請求項８】
前記突起結合部は，前記結合突起を前記ディスプレイ部の外側に弾性的に加圧するスプリング部材をさらに含み，
前記結合突起及び前記スプリング部材は，前記一対の突起受容部の中で少なくとも一つに設けられることを特徴とする，請求項３，４，５，６，または７項のうちいずれか１項に記載の携帯用コンピュータ。
【請求項９】
前記各本体ヒンジ部に結合し，前記リンク部材と一体に前記コンピュータ本体に対して回動自在にして，前記リンク部材の回動軸線と同一の回動軸線を有する連結部材をさらに含むことを特徴とする，請求項１，２，３，４，５，６，７，または８項のうちいずれか１項に記載の携帯用コンピュータ。
【請求項１０】
前記本体ヒンジ部は，前記各リンク部材の他端部と前記連結部材及び前記コンピュータ本体の間に介される第２軸部材を備え，
前記第２軸部材は，
第２回動軸と；
一側が前記第２回動軸と所定の摩擦力を有するように回動自在に結合され他側が前記コンピュータ本体に結合された第２軸支持台と；
前記第２回動軸から前記連結部材方向に延長されて前記連結部材と一体に結合される第２軸部材結合部と；
を備えることを特徴とする，請求項１，２，３，４，５，６，７，８，または９項のうちいずれか１項に記載の携帯用コンピュータ。
【請求項１１】
前記ディスプレイヒンジ部は，
第１回動軸と；
前記第１回動軸と所定の摩擦力を有するように回動自在に結合され前記リンク部材の一端部に結合された第１軸支持台を有する第１軸部材と；
前記ディスプレイ部に設けられて前記第１回動軸と一体に結合される第１軸部材支持ブラケットと；
を備えることを特徴とする，請求項１，２，３，４，５，６，７，８，９，または１０項のうちいずれか１項に記載の携帯用コンピュータ。
【請求項１２】
前記リンク部材は，
外観を形成する外部カバーと；
前記外部カバーと結合して前記リンク部材の内部に前記ディスプレイ部と前記コンピュータ本体とを連結するケーブル受容空間を形成する内部カバーと；
を備え，
前記第１軸部材及び前記第２軸部材には，前記ケーブルが通過可能なように第１ケーブル通過孔及び第２ケーブル通過孔が形成されることを特徴とする，請求項１，２，３，４，５，６，７，８，９，１０，または１１項のうちいずれか１項に記載の携帯用コンピュータ。
【請求項１３】
前記本体ヒンジ部は，前記各リンク部材の他端部と前記コンピュータ本体の後方上部領域との間に設けられることを特徴とする，請求項１，２，３，４，５，６，７，８，９，１０，１１，または１２項のうちいずれか１項に記載の携帯用コンピュータ。
【請求項１４】
前記コンピュータ本体の上部面には，少なくとも一つの磁石部材が設けられ，
前記ディスプレイ部の前面部及び背面部の中で少なくとも一つには，前記磁石部材に付着自在にする接着部が設けられることを特徴とする，請求項１，２，３，４，５，６，７，８，９，１０，１１，１２，または１３項のうちいずれか１項に記載の携帯用コンピュータ。
【発明の詳細な説明】
【技術分野】
【０００１】
本発明は，携帯用コンピュータに係り，特に，タブレット操作の利便性を向上させる携帯用コンピュータに関する。
【背景技術】
【０００２】
一般に，携帯用コンピュータは，持ち運びやすさ（モバイル性）や，移動先での操作の利便性が要求される。なお，携帯用コンピュータとは，ラップトップコンピュータ（Ｌａｐｔｏｐ  Ｃｏｍｐｕｔｅｒ），ノートブックコンピュータ（Ｎｏｔｅｂｏｏｋ  Ｃｏｍｐｕｔｅｒ）及びパームトップコンピュータ（Ｐａｌｍｔｏｐ  Ｃｏｍｐｕｔｅｒ）等のように携帯することができるコンピュータの総称である。
【０００３】
このような携帯用コンピュータの一例として，米国特許公報第６，００５，７６７号に示す携帯用コンピュータは，多くの機器部品が内装されているコンピュータ本体と，コンピュータ本体から画像信号を受信して画面に表示するディスプレイ部と，ディスプレイ部の側面とコンピュータ本体との間に設けられた一対のリンク部材と，を含む（例えば，特許文献１，参照）。
【０００４】
また，ディスプレイ部とリンク部材との間には，ディスプレイ部がリンク部材に対して回動自在に支持する第１ヒンジ部が設けられる。また，リンク部材とコンピュータ本体との間には，リンク部材がコンピュータ本体に対して回動自在にするように第２ヒンジ部が設けられる。
【０００５】
ディスプレイ部には，タッチスクリーン（Ｔｏｕｃｈｓｃｒｅｅｎ）技術が適用されている。また，コンピュータ本体の内部には中央演算処理装置（ＣＰＵ）及びグラフィックチップ等が装着されているメインボードが設けられており，コンピュータ本体の外側にはキーボードやマウス等の入力装置が設けられる。
【０００６】
このような構成を有する従来の携帯用コンピュータは，ディスプレイ部が第２ヒンジ部を中心として回動し，ディスプレイ部を畳んだり（コンピュータ本体に対して畳み込まれる），開いたりすることができた。
【０００７】
即ち，ディスプレイ部がコンピュータ本体に対して畳まれた状態のディスプレイ部とコンピュータ本体とが成す角度を０°とする場合，０°を基準にしてディスプレイ部がコンピュータ本体に対してほぼ９０°程度に開いた状態及びディスプレイ部が上向き露出されるように１８０°開いた状態までディスプレイ部の角度を調節することができた。また，ディスプレイ部が開いた状態で第１ヒンジ部を中心としてリンク部材に対して回動することができていた。
【０００８】
即ち，ディスプレイ部の画像面が上向いてタブレット操作ができるようにディスプレイ部をリンク部材及びコンピュータ本体に対して回動させることができていた。
【０００９】
【特許文献１】米国特許出願公開第６００５７６７号明細書
【発明の開示】
【発明が解決しようとする課題】
【００１０】
しかしながら，従来に係る携帯用コンピュータは，ディスプレイ部がコンピュータ本体に対して回動自在に第１ヒンジ部及び第２ヒンジ部を設けているが，ディスプレイ部がリンク部材に対して回動を抑制することができず不便だというという問題があった。
【００１１】
また，このような従来の携帯用コンピュータに設けられた第１ヒンジ部及び第２ヒンジ部の構造が改善されないため，ユーザーが携帯用コンピュータを使用する利便性や，操作における安定性を向上させることができなかった。
【００１２】
本発明は，上記問題点に鑑みてなされたものであり，本発明の目的は，ディスプレイ部の回動時に利便性，安定性を向上させることが可能な，新規かつ改良された携帯用コンピュータを提供することである。
【課題を解決するための手段】
【００１３】
上記課題を解決するため，本発明の第１の観点によれば，前記目的を達成するために本発明によるコンピュータは，コンピュータ本体と，前記コンピュータ本体に連結されたディスプレイ部と，を備えた携帯用コンピュータにおいて，前記ディスプレイ部と前記コンピュータ本体とを連結する一対のリンク部材と；前記各リンク部材の一端部と前記ディスプレイ部との間に設けられて，前記ディスプレイ部が前記一対のリンク部材に対して回動自在に支持するディスプレイヒンジ部と；前記各リンク部材の他端部と前記コンピュータ本体との間に設けられて，前記一対のリンク部材が前記コンピュータ本体に対して回動自在に支持する本体ヒンジ部と；前記リンク部材に対して前記ディスプレイ部の回動をロッキング（固定）及びロッキング解除（固定解除）するように前記リンク部材及び前記ディスプレイ部の間に設けられたロッキングユニットと；を含むことを特徴とする。
【００１４】
ここで，前記一対のリンク部材は，前記ディスプレイ部を間に置いて相互に平行に配置することが好ましい。
【００１５】
前記ロッキングユニットは，前記リンク部材及び前記ディスプレイ部の中でいずれか一つから他の一つに向いて，例えば凸形状などに突出したロッキング突起と；前記リンク部材及び前記ディスプレイ部の中でいずれか一つに設けられて前記ロッキング突起と接触して弾性的に結合（又は，係合）及び／又は結合（又は，係合）解除可能に設けられた突起結合部と；を含むことが好ましい。前記ロッキング突起は，前記一対のリンク部材の中で少なくともいずれか一つに設けられ，前記突起結合部は前記ロッキング突起に対応して前記ディスプレイ部に設けられることが好ましい。
【００１６】
前記突起結合部は，前記ディスプレイ部が前記リンク部材に対して回動して前記ロッキング突起を受容するように前記ディスプレイ部の側面部に形成された突起受容部と，前記ロッキング突起と接触して前記突起受容部に弾性的に引出されるように設けられた結合突起と，を含むことが好ましい。
【００１７】
前記突起受容部は，前記ロッキング突起を受容するように前記ディスプレイ部の後方に開口された開口部と，前記開口部の対向側に前記結合突起を通過した前記ロッキング突起と接触自在に設けられて接触騒音を防止する弾性部材と，を含むことが好ましい。
前記ロッキング突起は，前記本体ヒンジ部と結合される前記リンク部材の他端部との近接領域に設けられ，前記突起受容部は，前記ロッキング突起に対応して選択的に前記ロッキング突起を受容するように前記ディスプレイ部の回動軸線に垂直方向に離隔されて一対で設けられることが好ましい。
【００１８】
前記突起結合部は，前記結合突起を前記ディスプレイ部の外側に弾性的に加圧するスプリング部材をさらに含み，前記結合突起及び前記スプリング部材は，前記一対の突起受容部の中で少なくとも一つに設けられることが好ましい。
【００１９】
前記各本体ヒンジ部に結合されて前記リンク部材と一体に前記コンピュータ本体に対して回動自在にして，前記リンク部材の回動軸線と同一の回動軸線を有する連結部材をさらに含むことが好ましい。
【００２０】
前記本体ヒンジ部は，前記各リンク部材の他端部と前記連結部材及び前記コンピュータ本体の間に介される第２軸部材を含み，前記第２軸部材は，第２回動軸と，一側が前記第２回動軸と所定の摩擦力を有するように回動自在に結合され他側が前記コンピュータ本体に結合された第２軸支持台と，前記第２回動軸から前記連結部材方向に延長されて前記連結部材と一体に結合される第２軸部材結合部と，を含むことが好ましい。
【００２１】
前記ディスプレイヒンジ部は，第１回動軸と，前記第１回動軸と所定の摩擦力を有するように回動自在に結合され前記リンク部材の一端部に結合された第１軸支持台を有する第１軸部材と，前記ディスプレイ部に設けられて前記第１回動軸と一体に結合される第１軸部材支持ブラケットと；を含むことが好ましい。
【００２２】
前記リンク部材は，外観を形成する外部カバーと，前記外部カバーと結合して前記リンク部材の内部に前記ディスプレイ部と前記コンピュータ本体と，を連結するケーブル受容空間を形成する内部カバーと，を含み，前記第１軸部材及び前記第２軸部材には前記ケーブルが通過できるように第１ケーブル通過孔及び第２ケーブル通過孔が形成されることが好ましい。
【００２３】
前記本体ヒンジ部は，前記各リンク部材の他端部と前記コンピュータ本体の後方上部領域との間に設けられることが好ましい。
【００２４】
前記コンピュータ本体の上部面には，少なくとも一つの磁石部材が設けられ，前記ディスプレイ部の前面部及び背面部の中で少なくとも一つには，前記磁石部材に付着自在にする接着部が設けられることが好ましい。
上記課題を解決するために，本発明の別の観点によれば，
【発明の効果】
【００２５】
以上説明したように，本発明によれば，ディスプレイ部の回動時に便利性及び安定性を向上させることができる。
【００２６】
また，本体ヒンジ部の回動軸線と一致されるように本体ヒンジ部に結合された連結部材を設けることによって捻り現状を抑制し，回動の安定性を確保しディスプレイ部等の故障を防止することができる。
【発明を実施するための最良の形態】
【００２７】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２８】
図１〜図４に示すように，本実施形態にかかる携帯用コンピュータは，多くの機器部品が内装されているコンピュータ本体１０１と，コンピュータ本体１０１から画像信号を受信して画面に表示するディスプレイ部１１０と，一端がコンピュータ本体１０１とヒンジ結合され他端がディスプレイ部１１０とヒンジ結合される一対のリンク部材１２０と，各リンク部材１２０の一端部とディスプレイ部１１０との間に設けられてディスプレイ部１１０が一対のリンク部材１２０に対して回動自在に支持するディスプレイヒンジ部と，各リンク部材１２０の他端部とコンピュータ本体１１０との間に設けられて一つのリンク部材１２０がコンピュータ本体１０１に対して回動自在に支持する本体ヒンジ部と，リンク部材１２０に対してディスプレイ部１１０の回動をロッキング及びロッキング解除するようにリンク部材１２０及びディスプレイ部１１０に設けられたロッキングユニット２００と，を含む。また，本実施形態による携帯用コンピュータは，各本体ヒンジ部に結合されてリンク部材１２０と一体にコンピュータ本体１０１に対して回動自在にして，リンク部材１２０の回動軸線と同一な回動軸線とを有する連結部材１８０をさらに含むことが好ましい。
【００２９】
コンピュータ本体１０１は，その内部に中央演算処理装置及びメインボード（図示せず。）等が装着されており，その外側にキーボード１０３やタッチパッド１０４の入力装置等が設けられる。また，コンピュータ本体１０１は，ディスプレイ部１１０と図１３等に示すケーブル１０７によって連結され，ケーブル１０７を通じてディスプレイ部１１０と所定の信号を取り交わすことができる。ここで，ケーブル１０７は，ディジタル信号及びパワー信号を伝達するケーブルとアンテナ信号及びスイッチ信号を伝達するケーブルであることが好ましい。
【００３０】
また，コンピュータ本体１０１とディスプレイ部１１０との間には，コンピュータ本体１０１とディスプレイ部１１０とが結合されてディスプレイ部１１０がコンピュータ本体１０１から開放されることを防止する結合手段が設けられる。また，このような結合手段（１９０，１９１，１９３）は，コンピュータ本体１０１の上部面に設けられた少なくとも一つの磁石部材１９０とディスプレイ部１１０の前面部及び背面部の中で少なくともいずれか一つに磁石部材１９０と付着自在に設けられた接着部１９１，１９３であることが好ましい。しかし，このような結合手段（１９０，１９１，１９３）は，コンピュータ本体１０１とディスプレイ１１０の中でいずれか一つに設けられたフック（図示せず）と，コンピュータ本体１０１とディスプレイ１１０の中で他の一つに設けられてフック（図示せず）と結合されるフック受容部（図示せず）を有するフック結合方式であることもできる。
【００３１】
磁石部材１９０は，コンピュータ本体１０１の上部面の左右側に一対で設けられることが好ましい。また，接着部１９１，１９３は，磁石部材１９０の磁力によって自在に付着可能なディスプレイ部１１０の前方カバー１１２及び後方カバー１１３にそれぞれ一対で設けられることが好ましい。また，接着部１９１，１９３は，磁石部材１９０によく付着されるように金属性材質からなることが好ましい。
【００３２】
ディスプレイ部１１０は，タッチスクリーン（Ｔｏｕｃｈｓｃｒｅｅｎ）技術が適用されているので，スタイラスペン（Ｓｔｙｌｕｓ  Ｐｅｎ）を利用してタブレット（Ｔａｂｌｅｔ）操作が可能であり，コンピュータ本体１０１から画像信号を受けて出力するＬＣＤパネル１１１とＬＣＤパネル１１１を間に置いて前後方に結合されてＬＣＤパネル１１１を支持する前方カバー１１２及び後方カバー１１３を有する。
【００３３】
前方カバー１１２には前方カバー１１２がコンピュータ本体１０１の上部面と接する閉鎖位置でコンピュータ本体１０１の磁石部材１９０と接触することができるように第１接触部１９１（又は，接着部１９１）が設けられる。また，後方カバー１１３には，後方カバー１１３がコンピュータ本体１０１の上部面と接するタブレット操作位置でコンピュータ本体１０１の磁石部材１９０と接触することができるように第２接触部１９３（又は，接着部１９３）が設けられる。
【００３４】
連結部材１８０は，後述する第２回動軸線１９７上に位置し，図１４等に示す一対のリンク部材１２０を連結する。即ち，連結部材１８０は，ディスプレイ部１１０がコンピュータ本体１０１に対して回動する時，一対のリンク部材１２０がコンピュータ本体１０１に対して同時に回動することができるように支持する役割を果たす。
【００３５】
また，連結部材１８０は，コンピュータ本体１０１の後方領域の上側に設けられるので全体的にスリムな携帯用コンピュータを提供することができる。
【００３６】
また，連結部材１８０は，例えば，ねじりに耐えるパイプ形状に設けられることが好ましいが，かかる例に限定されず，本実施の形態に係る連結部材１８０の断面の形状は，例えば，四角形状の断面や多角形状の断面などの場合でも実施可能である。
【００３７】
次に，図１２〜図１４に示すように，リンク部材１２０は，ディスプレイ部１１０を間に置いて両側に相互に平行に配置されてディスプレイ部１１０とコンピュータ本体１０１とを連結する。リンク部材１２０は，ディスプレイ部１１０とコンピュータ本体１０１とを連結する。ディスプレイ部１１０の前方カバー１１２がコンピュータ本体１０１の上部面に畳まれた閉鎖位置（図８参照）や，ディスプレイ部１１０がコンピュータ本体１０１から離隔されて開いた開放位置（図９及び図１０参照），またディスプレイ部１１０の後方カバー１１３がコンピュータ本体１０１の上部面に畳まれたタブレット操作位置（図１１参照）に上記リンク部材１２０によってディスプレイ部１１０を回動できる。
【００３８】
また，各リンク部材１２０は外観を形成する外部カバー１３０と，外部カバー１３０と結合されて内部に各ケーブル１０５，１０７の通路であるケーブル受容空間を形成する内部カバー１４０と，を有する。
【００３９】
外部カバー１３０の先端部１３１は，外側に向いて突出されるように折られ，その末端部１３２は内側に向いて折られる。また，外部カバー１３０の内側面には内部カバー１４０の締結孔１４６と第１スクリュー１３４によって締結されるように複数のボス部１３３が設けられる。
【００４０】
内部カバー１４０の先端部１４１は，外部カバー１３０の先端部１３１の形状に対応してＬ字形状に外側に向いて折られ，内部カバー１４０の末端部１４２は外部カバー１３０の末端部１３２の形状に対応して逆Ｌ字形状に内側に向いて折られる。
【００４１】
また，内部カバー１４０の先端部１４１には後述する第１軸部材１５０の第１回動軸１５１を回動自在に受容する第１ヒンジ孔１４４が形成される。また，内部カバー１４０の末端部１４２には後述する第２軸部材１７０の第２回動軸１７１を回動自在に受容する第２ヒンジ孔１４５が形成された延長部１４３が設けられる。また，内部カバー１４０には外部カバー１３０のボス部１３３に対応して第１スクリュー１３４によって締結される複数の締結孔１４６が形成される。
【００４２】
ディスプレイヒンジ部は，ディスプレイ部１１０が一対のリンク部材１２０に対して回動できるようにディスプレイ部１１０及びリンク部材１２０の間に設けられる。また，ディスプレイヒンジ部は，内部カバー１４０の第１ヒンジ孔１４４と，第１ヒンジ孔１４４に回動自在に受容される第１回動軸１５１を有する第１軸部材１５０と第１ヒンジ孔１４４に挿入された第１回動軸１５１を有する第１軸部材１５０を後方カバー１１３に支持する第１軸部材支持ブラケット１６０と，を含む。
【００４３】
第１軸部材１５０は，内部カバー１４０の先端部１４１と外部カバー１３０の先端部１３１との間の空間に受容される第１軸支持台１５５と，第１軸支持台１５５に回動自在に結合され，後方カバー１１３に向いて突出された第１回動軸１５１と，第１回動軸１５１の長手方向に沿ってケーブル１０７が第１軸部材１５０を通過することができるように第１軸部材１５０に貫通された第１ケーブル貫通孔１５２と，第１軸支持台１５５の両側に延長されて内部カバー１４０の先端部１４１及び外部カバー１３０の先端部１３１とスクリュー締結される一対の結合部１５３と，を含む。
【００４４】
第１回動軸１５１の一側は，第１軸支持台１５５に所定の摩擦力を有し回動自在に結合され，その他側は後述するディスプレイ部１１０に設けられる第１軸部材支持ブラケット１６０の結合受容孔１６１に押込まれて相互に回動しないように一体に結合される。
【００４５】
即ち，第１回動軸１５１の一側は，第１軸支持台１５５に回動自在に押込まれることが好ましく，ディスプレイ部１１０をリンク部材１２０に対して回動させるためにはディスプレイ部１１０に所定の加圧が必要である。また，このような所定の摩擦力は，ディスプレイ部１１０がディスプレイ部１１０の自重によってリンク部材１２０に対して回動することを防止することができ，ユーザーがディスプレイ部１１０をリンク部材１２０に対して容易に回動させるくらいが好ましい。これによって，ディスプレイ部１１０は，第１回動軸１５１によって形成される第１回動軸線１９６を中心として所定の摩擦力をもって回動することができる。
【００４６】
第１軸部材支持ブラケット１６０は，第１回動軸１５１の他側が押込されて一体に結合されるように貫通された結合受容孔１６１と，両側面から突出されるように延長された一対の羽部１６２と，を含む。また，各羽部１６２には後方カバー１１３に形成された締結部１１５と第２スクリュー１６５によって締結されるボルト孔１６４が形成されている。
【００４７】
本体ヒンジ部は，一対のリンク部材１２０をコンピュータ本体１０１に対して回動自在にリンク部材１２０とコンピュータ本体１０１との間に設けられる。また，本体ヒンジ部は，内部カバー１４０の延長部１４３に形成された第２ヒンジ孔１４５と，各内部カバー１４０の延長部１４３と連結部材１８０の各端部の間に介される一対の第２軸部材１７０と，を含む。
【００４８】
第２軸部材１７０は，内部カバー１４０の第２ヒンジ孔１４５に押込まされ，一体に回動自在に設けられた第２回動軸１７１と，第２回動軸１７１を所定の摩擦力を有するように回動自在に支持する第２軸支持台１７９と，第２回動軸１７１から連結部材１８０方向に延長されて連結部材１８０に一体に結合される第２軸部材結合部１７４と，を含む。
【００４９】
第２軸支持台１７９は，一側が第２回動軸１７１と回動自在に結合され，他側がコンピュータ本体１０１にスクリュー等によって結合される。
【００５０】
第２回動軸１７１は，内部カバー１４０の延長部１４３に形成された第２ヒンジ孔１４５に押込まされ，相互に回動しないように一体に結合する。また，第２回動軸１７１は，第２軸支持台１７９に所定の摩擦力を有し回動自在に結合される。即ち，第２回動軸１７１は，第２軸支持台１７９に回動自在に挿入されることが好ましく，リンク部材１２０をコンピュータ本体１０１に対して回動させるためにはリンク部材１２０への所定の加圧が必要である。また，このような所定の摩擦力は，第１回動軸１５１と第１軸支持台１５５との間の摩擦力とほぼ類似なので詳しい説明は省略する。
【００５１】
また，第２回動軸１７１には，内部カバー１４０及び外部カバー１３０によってリンク部材１２０の内部に形成されるケーブル受容空間と連通する第２ケーブル通過孔１７２が形成される。これによって，ケーブル１０５，ケーブル１０７は，順次に第１回動軸１５１の第１ケーブル通過孔１５２とリンク部材１２０との内部にケーブル受容空間と第２回動軸１７１の第２ケーブル通過孔１７２とを経ることになる。これによって，第２回動軸１７１は，第２ヒンジ孔１４５に押込まされ，一体に結合し，第２軸支持台１７９に所定の摩擦力を有し回動するように押込されて第２回動軸１７１を中心として回動することができる。
【００５２】
即ち，ディスプレイ部１１０は，ディスプレイ部１１０が第２回動軸１７１によって形成される第２回動軸線１９７を中心として回動することができる。
【００５３】
また，第２回動軸線１９７は，第１回動軸線１９６と平行に離隔して配置され，連結部材１８０とは同一の軸線上に配置される。即ち，ディスプレイ部１１０が本体ヒンジ部の第２回動軸１７１を中心として回動する時，その中心軸線になる第２回動軸線１９７上に連結部材１８０が位置する。
【００５４】
また，連結部材１８０は，第２回動軸１７１から延長した第２軸部材結合部１７４と結合されて第２回動軸１７１と一体に回動することになる。
【００５５】
第２軸部材結合部１７４は，第２回動軸１７１から連結部材１８０の開口部に面し，連結部材１８０の軸方向に延長し，パイプ形状を有する連結部材１８０の各開口部と結合する。即ち，第２軸部材結合部１７４は，連結部材１８０の各開口部に一体に押込まされ，第２回動軸１７１と相互に異方向に回動しないように設けられることが好ましい。しかし，第２軸部材結合部１７４が連結部材１８０とスクリュー等によって結合されることができる。また，第２軸部材結合部１７４と第２回動軸１７１との間には第２回動軸１７１の第２ケーブル通過孔１７２と連通されるように切取られて引出部１７３が形成される。これによって，第２ケーブル通過孔１７２を通過したケーブル１０５，ケーブル１０７は，引出部１７３を通じてコンピュータ本体１０１に連結される。
【００５６】
次に，図２等に示すロッキングユニット２００は，リンク部材１２０又はディスプレイ部１１０のうちいずれか一方の方向に向いて突出した形状のロッキング突起２０１と，リンク部材１２０又はディスプレイ部１１０のうちいずれか一方に設けられ，ロッキング突起２０１と接触して弾性的に結合状態／結合解除状態のいずれかの状態にすることができる突起結合部２１０と，を含む。
【００５７】
ロッキング突起２０１は，一対のリンク部材１２０にそれぞれ設けられることが好ましいが，一対のリンク部材１２０のうち少なくともいずれか一つに設けることもできる。
【００５８】
また，ロッキング突起２０１は，リンク部材１２０の内部カバー１４０の位置からディスプレイ部１１０に向かって突出していることが好ましい。
【００５９】
また，ロッキング突起２０１は，ディスプレイ部１１０の側面の位置から内部カバー１４０の方向に向かって突出していることが好ましい。
【００６０】
また，ロッキング突起２０１は，本体ヒンジ部と結合するリンク部材１２０の他端部との近接領域（近接した位置）に設けられることがさらに好ましい。
【００６１】
また，本発明の実施形態に係るロッキング突起２０１の突起した部分の形状は，四角形状であるが，かかる例に限定されず，例えば，円弧形状や多角形状などの場合でも良い。
【００６２】
突起結合部２１０は，ロッキング突起２０１に対応してディスプレイ部１１０の側面に設けられることが好ましいが，かかる例に限定されず，リンク部材１２０側に備わっても良い。
【００６３】
また，突起結合部２１０は，ディスプレイ部１１０がリンク部材１２０に対して回動することでロッキング突起２０１を受容するためのディスプレイ部１１０の側面部に形成された突起受容部２１１と，ロッキング突起２０１と接触して突起受容部２１１に弾性的に引出されるように設けられた結合突起２１３を含むことが好ましい。
【００６４】
また，突起結合部２１０は，結合突起２１３をディスプレイ部１１０の外側に弾性加圧するスプリング部材２１５をさらに含むことが好ましい。
【００６５】
突起受容部２１１は，ロッキング突起２０１を受容するためにディスプレイ部１１０の後方に開放された開口部２１２と，開口部２１２の対向側に結合突起２１３を通過したロッキング突起２０１と接触自在に設けられて接触騒音を防止する弾性部材２１７を含むことが好ましい。
【００６６】
また，突起受容部２１１は，各ロッキング突起２０１に対応して選択的にロッキング突起２０１を受容するようにディスプレイ部１１０の第１回動軸線１９６に垂直方向に離隔されて一対で設けられることが好ましい。即ち，突起受容部２１１は，ディスプレイ部１１０の画像面が前方に向く時，ディスプレイ部１１０の上部領域の両側に一対で設けられた第１突起受容部２１１ａと，ディスプレイ部１１０の下部領域の両側に一対で設けられた第２突起受容部２１１ｂと，を有することが好ましい。
【００６７】
また，突起受容部２１１には，結合突起２１３の一側２１３ａがロッキング突起２０１方向に露出されるようにディスプレイ部１１０の側面が貫通した結合突起受容部２１８が設けられる。
【００６８】
また，突起受容部２１１は，ロッキング突起２０１を受容するようにディスプレイ部１１０の後方カバー１１３に設けられることが好ましいが，前方に開口されるように前方カバー１１２に設けられることもできる。
【００６９】
結合突起２１３の一側２１３ａは，結合突起受容部２１８を通過し，ディスプレイ部１１０の側面上に表出することができるように結合突起受容部２１８より小さく（スリムな形状）設けられ，その一側２１３ａの端部は，ロッキング突起２０１との接触が容易に三角形の断面を有することが好ましい。
【００７０】
また，結合突起２１３の他側２１３ｂは，結合突起受容部２１８を通過できないように結合突起受容部２１８より大きく設けられ，その他側２１３ｂの端部にはスプリング部材２１５と容易に接触されるように陥没されたスプリング接触部２１４が設けられることが好ましい。
【００７１】
スプリング部材２１５は，結合突起２１３の他側２１３ｂと接触して弾性的に結合突起２１３をディスプレイ部１１０の側面の外側に押すようにディスプレイ部１１０に結合される。例えば，図５等に示すスプリング部材２１５は，結合突起２１３をロッキング突起２０１が備わる方向（水平右方向）に押している。
【００７２】
また，スプリング部材２１５は，結合突起２１３のスプリング接触部２１４と接触自在にしてディスプレイ部１１０の後方カバー１１３と結合されることが好ましく，後方カバー１１３にはスプリング部材２１５の両端部と結合自在にするスプリング支持台２１６が設けられることが好ましい。
【００７３】
また，スプリング部材２１５は，コイルスプリングであることが好ましいが，板スプリングやゴム部材等のような弾性力を有する部材であることもできる。また，本実施形態では結合突起２１３及びスプリング部材２１５が第２突起受容部２１１ｂにだけ設けられるように示しているが，第１突起受容部２１１ａにだけ設けられることもでき，第１突起受容部２１１ａ及び第２突起受容部２１１ｂに全部設けられることもできる。
【００７４】
弾性部材２１７は，第１突起受容部２１１ａ及び第２突起受容部２１１ｂに全部設けられることが好ましい。
【００７５】
また，弾性部材２１７は，開口部２１２と対向する突起受容部２１１に装着されることが好ましい。また，弾性部材２１７は，結合突起２１３を弾性的に通過したロッキング突起２０１と接触してロッキング突起２０１の回動を制限することになる。
【００７６】
また，弾性部材２１７は，ゴム材質からなることが好ましい。
【００７７】
また，弾性部材２１７は，開口部２１２と対向する突起受容部２１１に設けられた結合孔２１９に弾性的に挿入されて装着されるように挿入部２１７ａが設けられることが好ましい。
【００７８】
また，弾性部材２１７は，ロッキング突起２０１と接触して接触騒音を防止するようにスプリングのような部材からなることもできる。かかる弾性部材２１７は，ディスプレイ部１１０を１８０度以上回転させないようにするストッパの役割を果たしている。
【００７９】
上記のような構成によって，本実施の形態にかかる携帯用コンピュータのロッキングユニット２００の作動過程について図５〜図１１を参照しながら説明する。
【００８０】
まず，ディスプレイ部１１０の前方カバー１１２がコンピュータ本体１０１の上部面に畳まれた閉鎖位置（図８参照）からコンピュータ本体１０１から開いた開放位置（図９参照）に第２回動軸線１９７を中心としてディスプレイ部１１０及びリンク部材１２０を回動させる。この時，リンク部材１２０に設けられたロッキング突起２０１がディスプレイ部１１０に設けられた突起結合部２１０の第２突起受容部２１１ｂに受容された状態で一体に回動するようになる。即ち，ディスプレイ部１１０を上向き加圧して閉鎖位置（図８参照）から開放位置（図９参照）に回動する過程でロッキング突起２０１は，第２突起受容部２１１ｂの結合突起２１３及び弾性部材２１７と接触するので，ディスプレイ部１１０がリンク部材１２０に対して回動しない。
【００８１】
これによって，ユーザーは，ディスプレイ部１１０だけを上向き加圧してもリンク部材１２０と一体に回動するようになるので，ユーザは，ディスプレイ部１１０を回動する等の使用が便利となり，ディスプレイ部１１０だけを加圧する時，ディスプレイ部１１０がリンク部材１２０に対して回動し易くなってコンピュータ本体１０１と接触する場合等の安全を図ることができる。
【００８２】
図９に示すように，開放位置からディスプレイ部１１０の下部領域をリンク部材１２０に対して前方に回動させることができる（図１０参照）。この時，ユーザーは，ディスプレイ部１１０の第２突起受容部２１１ｂに結合した（係合した）ロッキング突起２０１が結合突起２１３を弾性的に押出されるようにディスプレイ部１１０を加圧しなければならない。これによって，ロッキング突起２０１は，第２突起受容部２１１ｂに受容されて結合突起２１３によって回動が制限された状態（図５参照）で結合突起２１３を弾性的に押出した状態（図６参照）を経て第２突起受容部２１１ｂから離脱された状態（図７参照）になることができる。
【００８３】
図１０に示す状態でディスプレイ部１１０をリンク部材１２０に対してさらに回動させてロッキング突起２０１を第１突起受容部２１１ａに受容させる。また，ディスプレイ部１１０とリンク部材１２０をコンピュータ本体１０１に対して回動させてディスプレイ部１１０の後方カバー１１３がコンピュータ本体１０１の上部面に畳まれたタブレット操作位置（図１１参照）になるようにすることができる。この時，リンク部材１２０に設けられたロッキング突起２０１がディスプレイ部１１０の第１突起受容部２１１ａに受容されて一体に回動することになる。即ち，ディスプレイ部１１０を下向き加圧してタブレット操作位置（図１１参照）に回動される過程でロッキング突起２０１は，第１突起受容部２１１ａの弾性部材２１７と接触することになるので，ディスプレイ部１１０がリンク部材１２０に対して回動しない。これによって，ユーザーは，ディスプレイ部１１０だけを下向き加圧してもリンク部材１２０と一体に回動することになるので使用が便利であり，ディスプレイ部１００だけを加圧する時，ディスプレイ部１１０がリンク部材１２０に対して回動し易くてコンピュータ本体１０１と接触する等の安全を図ることができる。
【００８４】
逆に，ディスプレイ部１１０をタブレット操作位置（図１１参照）から閉鎖位置（図８参照）に回動する過程は，上記説明した逆の動作となるので，詳細な説明は省略する。
【００８５】
また，本実施の形態にかかる携帯用コンピュータは，各本体ヒンジ部に結合されてリンク部材１２０と一体にコンピュータ本体１０１に対して回動自在であり，リンク部材１２０の回動軸線と同一の回動軸線を有する連結部材１８０をさらに含み，一対の第２軸部材１７０がそれぞれ回動する際に，発生することができる捻り現象を抑制して回動の安定性を確保しディスプレイ部１１０等の故障を防止することができる。即ち，ディスプレイ部１１０がコンピュータ本体１０１に対して回動する時に一対の第２軸部材１７０が同時に回動しなく捻りが発生すると，円滑に回動されないので作動が不安定であり，ディスプレイ部１１０のＬＣＤパネル１１１等に捻りが伝達されてディスプレイ部１１０等の故障原因になることができる。
【００８６】
上述した実施形態では，第１回動軸１５１が第１軸部材支持ブラケット１６０の結合受容孔１６１に相互に回動しないように押込され，第２回動軸１７１は内部カバー１４０の延長部１４３に形成された第２ヒンジ孔１４５に相互に回動されないように押込されると記載しているが，第１回動軸１５１及び第２回動軸１７１がそれぞれ結合受容孔１６１及び第２ヒンジ孔１４５に非円形状に結合されて相互に回動されないこともできる。
以上説明したように，本実施の形態によると，ディスプレイ部の回動時に便利性及び安定性を向上させることができる。
【００８７】
また，本体ヒンジ部の回動軸線と一致するように本体ヒンジ部に結合された連結部材を設けることによって捻り現象を抑制して回動の安定性を確保しディスプレイ部等の故障を防止することができる。
【００８８】
また，ディスプレイ部１１０が０度〜１８０度の範囲で回転できるように弾性部材２１７がディスプレイ部１１０に備わることで，３６０度ディスプレイが回転しないため，ディスプレイ部１１０内に配設されたケーブル１０５，ケーブル１０７が捩れたり，捻られたり，断線したりするなどの危険性を低減することができる。
【００８９】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【産業上の利用可能性】
【００９０】
本発明は，携帯用コンピュータ等に適用可能である。
【図面の簡単な説明】
【００９１】
【図１】本実施の形態にかかる携帯用コンピュータの斜視図である。
【図２】図１の携帯用コンピュータの背面斜視図である。
【図３】図１の携帯用コンピュータの背面斜視図である。
【図４】本実施の形態にかかる携帯用コンピュータのディスプレイ部の部分分解斜視図である。
【図５】本実施の形態による携帯用コンピュータのロッキングユニットの作動断面図である。
【図６】本実施の形態による携帯用コンピュータのロッキングユニットの作動断面図である。
【図７】本実施の形態による携帯用コンピュータのロッキングユニットの作動断面図である。
【図８】本実施の形態にかかる携帯用コンピュータのディスプレイ部の回動状態を示す側面図である。
【図９】本実施の形態にかかる携帯用コンピュータのディスプレイ部の回動状態を示す側面図である。
【図１０】本実施の形態にかかる携帯用コンピュータのディスプレイ部の回動状態を示す側面図である。
【図１１】本実施の形態にかかる携帯用コンピュータのディスプレイ部の回動状態を示す側面図である。
【図１２】本実施の形態にかかる携帯用コンピュータのディスプレイ部及びリンク部材の分解斜視図である。
【図１３】本実施の形態にかかる携帯用コンピュータのディスプレイ部及びリンク部材の分解斜視図である。
【図１４】本実施の形態にかかる携帯用コンピュータのディスプレイ部及びリンク部材の分解斜視図である。
【符号の説明】
【００９２】
１０１  コンピュータ本体
１０３  キーボード
１０５  第１ケーブル
１０７  第２ケーブル
１１０  ディスプレイ部
１１１  ＬＣＤパネル
１１２  前方カバー
１１３  後方カバー
１２０  リンク部材
１３０  外部カバー
１４０  内部カバー
１５０  第１軸部材
１６０  第１軸部材支持ブラケット
１７０  第１軸部材
１８０  連結部材
１９０  磁石部材
１９１  第１接着部
１９３  第２接着部
２００  ロッキングユニット
２０１  ロッキング突起
２１０  突起結合部
２１１  突起受容部
２１３  結合突起
２１５  スプリング部材
２１７  弾性部材
【図１】
2005174348.tif 000003
【図２】
2005174348.tif 000004
【図３】
2005174348.tif 000005
【図４】
2005174348.tif 000006
【図５】
2005174348.tif 000007
【図６】
2005174348.tif 000008
【図７】
2005174348.tif 000009
【図８】
2005174348.tif 000010
【図９】
2005174348.tif 000011
【図１０】
2005174348.tif 000012
【図１１】
2005174348.tif 000013
【図１２】
2005174348.tif 000014
【図１３】
2005174348.tif 000015
【図１４】
2005174348.tif 000016